(57)【要約】【課題】使用時に割り箸を簡単に且つ綺麗に割ることができるようにすることを目的とする。【解決手段】細幅板状の箸本体の一端から他端に向けて分離用のスリットが箸の長さ方向に連結部分を残して所定長さ形成され、当該スリット部分を離間させる方向に操作することにより、連結されていた割り箸を分離させて一対の箸に形成する割り箸において、スリットが形成されていない上記連結部分の割り箸の表面及び裏面のそれぞれに、前記スリットの延長線上に分離用Ｖ溝を形成し、当該Ｖ溝の両横部分に、Ｖ溝と並行する横割れ防止溝を形成するようにした。【選択図】図１
2012040132.tif 000002
【特許請求の範囲】
【請求項１】
細幅板状の箸本体の一端から他端に向けて分離用のスリットが箸の長さ方向に連結部分を残して所定長さ形成され、当該スリット部分を離間させる方向に操作することにより、連結されていた割り箸を分離させて一対の箸に形成する割り箸において、スリットが形成されていない上記連結部分の割り箸の表面及び裏面のそれぞれに、前記スリットの延長線上に分離用Ｖ溝を形成し、当該Ｖ溝の両横部分に、Ｖ溝と並行する横割れ防止溝を形成するようにしたことを特徴とする割り箸。
【請求項２】
連結部が割り箸の長さの約４分の１であり、横割れ防止溝が、割り箸の端部から前記連結部の約２分の１の長さに形成されていることを特徴とする請求項１に記載の割り箸。
【請求項３】
横割れ防止溝がＶ溝で形成されていることを特徴とする請求項１または請求項２に記載の割り箸。
【発明の詳細な説明】
【技術分野】
【０００１】
本発明は割り箸に関し、特に割り箸を正しく割れるようにするものである。
【背景技術】
【０００２】
一般に割り箸は、細長く先細り状に形成された１本の板状若しくは棒状の木製箸部材の中央部分に、箸部材の長手方向に所定の長さの連結部を残した状態で、分離用のスリットを形成するとともに、連結部には分離用のスリットの延長線上に沿って断面がＶ字状の切り込みを設けて形成されている。
【０００３】
こうした従来の一般的な割り箸を使用するにあたっては、スリットが形成されている箸部材の端部を左右の手でスリットが開くように左右に引き離すことにより、連結部を割って裂き、一対の箸を形成するようにしている。
【０００４】
しかし、連結部を割って裂く場合、箸部材の木目が、前記スリットの延長線上に沿って形成された断面Ｖ字状の切り込みに沿っているとは限られず、切込みから逸れて連結部が裂かれてしまうことが多い。
斯くして切込みから逸れて裂かれると、その端部が先鋭になり、この先鋭部で手や皮膚等を傷付いてしまうという問題があった。
【０００５】
そこで、こうした問題に対処するために、スリットの延長線上に沿って箸部材の連結部にミシン目を入れて脆弱部を形成した特許文献１、連結部分のスリットの仮想延長線の左右に深いガイド溝を一側面に設け、連結部での裂け目を前記ガイド溝のいずれか一方を利用して割って裂くようにした特許文献２及び、箸部材の一方の面からスリットの延長線上に沿って深い切り込みを設けるようにした特許文献３などが先に提案されている。
【０００６】
ところが、上記特許文献１のものでは、スリットの延長線上に沿って箸部材の連結部にミシン目を入れる作業が必要となることから、手間がかかる上、その作業時に連結部が分離してしまうことがあり歩留まりが低下してしまうという問題があった。
また、特許文献２では、左右のいずれか一方のガイド溝で裂かれるので、その図面にもあるように左右対称の綺麗な形状にならず、品質が低下してしまうという問題があった。
さらに、箸部材の一方の面からスリットの延長線上に沿って深い切り込みを設けるようにした特許文献３では、残余の連結部分で横に裂けると、先鋭部が形成されることがあり未だ危険性を解消することができないという問題があった。
【先行技術文献】
【特許文献】
【０００７】
【特許文献１】特開平８−２８０５１５号公報
【特許文献２】実用新案登録第３０４５９２４号公報
【特許文献３】実用新案登録第３０２９１５６号公報
【発明の開示】
【発明が解決しようとする課題】
【０００８】
本発明は上記問題点鑑み提案されたもので、使用時に割り箸を簡単に且つ綺麗に割ることができるようにすることを目的とするものである。
【課題を解決するための手段】
【０００９】
上記目的を達成するために、本発明にかかる割り箸は、細幅板状の箸本体の一端から他端に向けて分離用のスリットが箸の長さ方向に連結部分を残して所定長さ形成され、当該スリット部分を離間させる方向に操作することにより、連結されていた割り箸を分離させて一対の箸に形成する割り箸において、スリットが形成されていない上記連結部分の割り箸の表面及び裏面のそれぞれに、前記スリットの延長線上に分離用Ｖ溝を形成し、当該Ｖ溝の両横部分に、Ｖ溝と並行する横割れ防止溝を形成するようにしたことを特徴とするものである。
【００１０】
また、本発明にかかる割り箸では、連結部が割り箸の長さの約４分の１であり、横割れ防止溝が、割り箸の端部から前記連結部の約２分の１の長さに形成されていることや、横割れ防止溝がＶ溝で形成されていることも特徴とするものである。
【発明の効果】
【００１１】
本発明によれば、割り箸は、細幅板状の箸本体の一端から他端に向けて分離用のスリットが箸の長さ方向に連結部分を残して所定長さ形成され、当該スリット部分を離間させる方向に操作することにより、連結されていた割り箸を分離させて一対の箸に形成する割り箸において、スリットが形成されていない上記連結部分の割り箸の表面及び裏面のそれぞれに、前記スリットの延長線上に分離用Ｖ溝を形成し、当該Ｖ溝の両横部分に、Ｖ溝と並行する横割れ防止溝を形成するようにしてある。
【００１２】
箸本体のスリットの先端部を持ってスリットが開くように左右に裂くと、この力が連結部に作用し、木目およびＶ溝に沿って連結部が裂けようとする。
このとき、木目が連結部の前記Ｖ溝から逸れていた場合、前記連結部の作用する力で木目に沿って裂けようとして徐々に変形してゆくが、横割れ防止溝部分も変形することから、この横割れ防止溝部分の変形木により、木目に沿って裂けようとするのが防止される。
これにより、箸本体のスリットの延長線上の連結部分に形成された、前記Ｖ溝で箸本体が略左右対称のとなるように分離される。
したがって、割り箸を割ったときに先が鋭角となるような割れ方をせず安全で、しかも使いやすく品質の高い割り箸を提供することができる利点がある。
【図面の簡単な説明】
【００１３】
【図１】は本発明にかかる割り箸の斜視図である。
【図２】は本発明にかかる割り箸の平面図である。
【図３】は本発明にかかる割り箸の連結部側から見た側面図である。
【図４】は本発明にかかる割り箸を引き裂く時の作用を説明する連結部分の拡大平面図である。
【発明を実施するための形態】
【００１４】
以下、本発明にかかる割り箸の最も好ましい実施の形態を図面に基づいて説明する。
【実施例】
【００１５】
図１は本発明にかかる割り箸の斜視図、図２は本発明にかかる割り箸の平面図であって、図中符号１は、割り箸を全体的に示す。
割り箸１は細幅で板状の木製の箸本体２が形成されるとともに、一方の部分（図１ならびに図２上左側）でわずかに幅狭になる先細りテーパー状に形成されている。
この板状の箸本体２は、材木（原木）を所定の厚みの板状に形成した後、所定幅に裁断して形成されたものである。
したがって、材木の木目は裁断により箸本体２の長さ方向に平行になるとは限られない。
【００１６】
箸本体２の幅方向の中間部分にはその長さ方向に１条の分離用のＶ溝３が表面及び裏面のそれぞれに形成されている（図３参照）。
そして、箸本体２の先細り側端部から上記分離用のＶ溝３に沿ってスリット４が所定の長さに形成してある。
このスリット４は図１及び図２に示すように、箸本体２の全長（Ｌ）に対して先細り側の端部から約３／４の長さ（Ｓ）部分に形成してあり、残りの１／４の長さ（Ｃ）部分は連結部５となっている。
上記連結部５に形成されている分離用のＶ溝３部分の両側部分には横割れ防止溝６が形成されている。
【００１７】
この横割れ防止溝６は、前記分離用のＶ溝３の両側部分で箸本体２の表裏に、このＶ溝３と略平行に形成されたＶ形に切り込まれた溝で形成されており、この横割れ防止溝６の深さ（Ｄ１）は図３に示すように、前記分離用のＶ溝３の深さ（Ｄ２）より浅く形成してある。
これは横割れ防止溝６の深さ（Ｄ１）を分離用のＶ溝３の深さＤ２より深くすると、分離用のＶ溝３で正しく裂けずに、スリット４から横割れ防止溝６で割れるおそれがあるからである。
【００１８】
上記のように構成された本発明にかかる割り箸１を使用する場合、箸本体２のスリットの先端部を持ってスリット４が開くように左右に方向に裂こうとすると、この力はスリット４から連結部分に作用する。
スリット４から作用する連結部５を引き裂こうとする力は、図４に示すように連結部５の分離用Ｖ溝３ならびに木目に沿って作用する。
斯くして分離用のＶ溝３とともに木目に沿って作用した力はこの木目に沿って引き裂かれようと徐々に変形することになる。
【００１９】
ところが、この連結部５には分離用のＶ溝３に平行した横割れ防止溝６が形成されていることから、この横割れ防止溝６が脆弱部として変形しやすくなっており、この横割れ防止溝６が変形して上記木目に沿って作用する力を分散して半減する。
これにより分離用のＶ溝３に作用する力で、割り箸１は分離用のＶ溝３部分で綺麗に分離されることになる
したがって、割り箸１を割ったときに先が鋭角となるような割れ方をせず安全で、しかも使いやすく品質の高い割り箸となる。
【００２０】
なお、上記実施の形態では、分離用のＶ溝３を箸本体２の全長に渡って形成し、その一部に連結部５を残した状態でスリット４を形成するようにしてあるが、スリット４の延長線上の連結部５にのみ分離用のＶ溝３を形成することもできる。
また、本発明にかかるスリットの長さ（Ｓ）や横割れ防止溝の長さ（Ｃ）、あるいは木質に合わせて、上記割合の２０％を超えない範囲内で変更することが可能である。
つまり、スリット４の長さ（Ｓ）を、２０％を超えて長くすると連結部５が短くなり、製造中及び搬送中に分離しやすくなり歩留まりが低下し、スリット４の長さ（Ｓ）を、２０％を超えて短くすると、その分連結部５がながくなり、分離するための大きな操作力を必要とし、分離しにくくなってしまうためである。
【符号の説明】
【００２１】
１・・・割り箸
２・・・箸本体
３・・・分離用のＶ溝
４・・・分離用のスリット
５・・・連結部
６・・・横割れ防止溝
【図１】
2012040132.tif 000003
【図２】
2012040132.tif 000004
【図３】
2012040132.tif 000005
【図４】
2012040132.tif 000006